(57)【要約】【課題】製品の製造が完了した際に、当該製品が有効期限のある部材を構成要素に持つ場合の有効期限を自動で設定することが可能な有効期限算出装置、有効期限算出方法、及び有効期限算出プログラムを提供すること。【解決手段】本実施の形態に係る有効期限算出装置は、少なくとも製品とその有効期限月数とを関連づけて登録する品目マスタと、製品と、当該製品を構成する、半製品、有効期限のない第１の部材、及び／又は有効期限のある第２の部材とを関連づけて登録する製品構成マスタと、製品の製造が完了した際に、前記品目マスタ及び前記製品構成マスタを参照して、当該製品が前記第２の部材を構成要素に含む場合は、当該製品の有効期限と当該製品の構成要素に含まれる薬液の有効期限を比較して、当該製品の有効期限として、短い有効期限を自動設定する有効期限算出手段と、を備えている。【選択図】図１
2019153242.tif 000002
【特許請求の範囲】
【請求項１】
少なくとも製品とその有効期限月数とを関連づけて登録する品目マスタと、
製品と、当該製品を構成する、半製品、有効期限のない第１の部材、及び／又は有効期限のある第２の部材とを関連づけて登録する製品構成マスタと、
製品の製造が完了した際に、前記品目マスタ及び前記製品構成マスタを参照して、当該製品が前記第２の部材を構成要素に含む場合は、当該製品の有効期限と当該製品の構成要素に含まれる薬液の有効期限を比較して、当該製品の有効期限として、短い方の有効期限を自動設定する有効期限算出手段と、
を備えたことを特徴とする有効期限算出装置。
【請求項２】
前記第１の部材、及び／又は前記第２の部材が入荷した際に、在庫数及び有効期限を含む在庫データを作成し、また、前記製品が完了した際に、在庫データを作成する在庫データ作成手段を備え、
前記有効期限算出手段は、当該製品が第２の部材を構成要素に含む場合は、当該第２の部材の前記在庫データの有効期限と、当該製品の製造完了日＋前記品目マスタの当該製品の有効期間月数とを比較して、短い方の有効期限を当該製品の在庫データの有効期限に設定することを特徴とする請求項１に記載の有効期限算出装置。
【請求項３】
前記品目マスタは、さらに、半製品とその有効期限月数とを関連づけて登録し、
前記製品構成マスタは、さらに、半製品と、当該半製品を構成する前記第１の部材及び／又は前記第２の部材とを関連づけて登録し、
前記有効期限算出手段は、前記製品の有効期限を自動設定する場合に、構成要素に第２の部材を含む半製品がある場合には、当該半製品の有効期限とも比較を行うことを特徴とする請求項１又は２に記載の有効期限算出装置。
【請求項４】
前記第２の部材は、薬液であることを特徴とする請求項１〜３のいずれか１つに記載の有効期限算出装置。
【請求項５】
制御部及び記憶部を備えた情報処理装置で実行される有効期限算出方法であって、
前記記憶部は、
少なくとも製品とその有効期限月数とを関連づけて登録する品目マスタと、
製品と、当該製品を構成する、半製品、有効期限のない第１の部材、及び／又は有効期限のある第２の部材とを関連づけて登録する製品構成マスタと、
を備え、
前記制御部で実行される、
製品の製造が完了した際に、前記品目マスタ及び前記製品構成マスタを参照して、当該製品が前記第２の部材を構成要素に含む場合は、当該製品の有効期限と当該製品の構成要素に含まれる薬液の有効期限を比較して、当該製品の有効期限として、短い方の有効期限を自動設定する自動設定する有効期限算出ステップを含むことを特徴とする有効期限算出方法。
【請求項６】
制御部及び記憶部を備えた情報処理装置に実行させるための有効期限算出プログラムであって、
前記記憶部は、
少なくとも製品とその有効期限月数とを関連づけて登録する品目マスタと、
製品と、当該製品を構成する、半製品、有効期限のない第１の部材、及び／又は有効期限のある第２の部材とを関連づけて登録する製品構成マスタと、
を備え、
製品の製造が完了した際に、前記品目マスタ及び前記製品構成マスタを参照して、当該製品が薬液を構成要素に含む場合は、当該製品の有効期限と当該製品の構成要素に含まれる薬液の有効期限を比較して、当該製品の有効期限として、短い方の有効期限を自動設定する有効期限算出ステップを前記制御部に実行させるための有効期限算出プログラム。
【発明の詳細な説明】
【技術分野】
【０００１】
本発明は、有効期限算出装置、有効期限算出方法、及び有効期限算出プログラムに関する。
【背景技術】
【０００２】
従来、医薬品の有効期限を管理するシステムとして、例えば、特許文献１がある。かかる特許文献１では、［０００５］に、「関連した複数の原料溶液と、混合物受けとを有する少なくとも１つの医薬品調合装置での使用のために、調合混合物を調製する調合制御方法。当該方法は、前記複数の原料溶液が既定の構成に適合するかどうかを判定するステップと、前記原料溶液が想定されているものでない場合、操作者にアラートを与え、調合を回避するステップと、前記原料溶液のそれぞれの有効期限を判定するステップと、前記原料溶液のいずれかが期限切れの場合には、当該原料溶液のいずれかの使用を警告および／または回避するステップと、混合物の入力に基づき、前記原料溶液の少なくとも１つの少なくとも一部を、前記混合物受けに追加して前記調合混合物を形成するステップとを含む。」と記載されている。
【先行技術文献】
【特許文献】
【０００３】
【特許文献１】特表２００７−５１５２１３号公報
【発明の概要】
【発明が解決しようとする課題】
【０００４】
しかしながら、上記特許文献１では、製品の製造完了時に薬液を構成要素に持つ製品の有効期限に関して何等記載されていない。
【０００５】
本発明は、上記に鑑みてなされたものであって、製品の製造が完了した際、当該製品が有効期限のある部材を構成要素に持つ場合に、当該製品の有効期限を自動で設定することが可能な有効期限算出装置、有効期限算出方法、及び有効期限算出プログラムを提供することを目的とする。
【課題を解決するための手段】
【０００６】
上述した課題を解決し、目的を達成するために、本発明は、少なくとも製品とその有効期限月数とを関連づけて登録する品目マスタと、製品と、当該製品を構成する、半製品、有効期限のない第１の部材、及び／又は有効期限のある第２の部材とを関連づけて登録する製品構成マスタと、製品の製造が完了した際に、前記品目マスタ及び前記製品構成マスタを参照して、当該製品が前記第２の部材を構成要素に含む場合は、当該製品の有効期限と当該製品の構成要素に含まれる薬液の有効期限を比較して、当該製品の有効期限として、短い方の有効期限を自動設定する有効期限算出手段と、を備えたことを特徴とする。
【０００７】
また、本実施の形態によれば、前記第１の部材、及び／又は前記第２の部材が入荷した際に、在庫数及び有効期限を含む在庫データを作成し、また、前記製品が完了した際に、在庫データを作成する在庫データ作成手段を備え、前記有効期限算出手段は、当該製品が第２の部材を構成要素に含む場合は、当該薬液の前記在庫データの有効期限と、当該製品の製造完了日＋前記品目マスタの当該製品の有効期間月数とを比較して、短い方の有効期限を当該製品の在庫データの有効期限に設定することが望ましい。
【０００８】
また、本実施の形態によれば、前記品目マスタは、さらに、半製品とその有効期限月数とを関連づけて登録し、前記製品構成マスタは、さらに、半製品と、当該半製品を構成する前記第１の部材及び／又は前記第２の部材とを関連づけて登録し、前記有効期限算出手段は、前記製品の有効期限を自動設定する場合に、構成要素に前記第２の部材を含む半製品がある場合には、当該半製品の有効期限とも比較を行うことが望ましい。
【０００９】
また、本実施の形態によれば、前記第２の部材は、薬液であることが望ましい。
【００１０】
また、上述した課題を解決し、目的を達成するために、本発明は、制御部及び記憶部を備えた情報処理装置で実行される有効期限算出方法であって、前記記憶部は、少なくとも製品とその有効期限月数とを関連づけて登録する品目マスタと、製品と、当該製品を構成する、半製品、有効期限のない第１の部材、及び／又は有効期限のある第２の部材とを関連づけて登録する製品構成マスタと、を備え、前記制御部で実行される、製品の製造が完了した際に、前記品目マスタ及び前記製品構成マスタを参照して、当該製品が前記第２の部材を構成要素に含む場合は、当該製品の有効期限と当該製品の構成要素に含まれる薬液の有効期限を比較して、当該製品の有効期限として、短い有効期限を自動設定する自動設定する有効期限算出ステップを含むことを特徴とする。
【００１１】
また、上述した課題を解決し、目的を達成するために、本発明は、制御部及び記憶部を備えた情報処理装置に実行させるための有効期限算出プログラムであって、前記記憶部は、少なくとも製品とその有効期限月数とを関連づけて登録する品目マスタと、製品と、当該製品を構成する、半製品、有効期限のない第１の部材、及び／又は有効期限のある第２の部材とを関連づけて登録する製品構成マスタと、を備え、製品の製造が完了した際に、前記品目マスタ及び前記製品構成マスタを参照して、当該製品が薬液を構成要素に含む場合は、当該製品の有効期限と当該製品の構成要素に含まれる薬液の有効期限を比較して、当該製品の有効期限として、短い有効期限を自動設定する有効期限算出ステップを前記制御部に実行させるための有効期限算出プログラムである。
【発明の効果】
【００１２】
本発明によれば、製品の製造が完了した際、当該製品が有効期限のある部材を構成要素に持つ場合に、当該製品の有効期限を自動で設定することが可能になるという効果を奏する。
【図面の簡単な説明】
【００１３】
【図１】図１は、有効期限算出装置の構成の一例を示すブロック図である。
【図２】図２は、本実施の形態に係る有効期限算出装置の全体の処理手順の一例を説明するための図である。
【図３】図３は、有効期限算出処理の一例を説明するための図である。
【図４】図４は、品目マスタのデータ例を示す図である。
【図５】図５は、製品構成マスタのデータ例及び製品の階層の構成イメージを示す図である。
【図６】図６は、在庫データのデータ例を示す図である。
【図７】図７は、製品の構成が「１階層」の場合の製品の有効期限の算出を説明するための図である。
【図８】図８は、製品の構成が「２階層」の場合の製品の有効期限の算出を説明するための図である。
【発明を実施するための形態】
【００１４】
以下に、本発明に係る有効期限算出装置、有効期限算出方法、及び有効期限算出プログラムの実施の形態を、図面に基づいて詳細に説明する。なお、本実施形態によりこの発明が限定されるものではない。
【００１５】
［１．概要］
従来、製品の有効期限を設定する場合に、製品の製造完了時に製品の有効期限を、構成品使用リストを参照して手入力していたため、入力ミスにつながっていた。より具体的には、製品の有効期限よりも、製品を構成する薬液の有効期限が短い場合があるため、有効期限が記載されている構成品使用リストを参照して、製品の有効期限として薬液の有効期限をオペレータが手入力していたため、その作業が面倒であると共に、オペレータによる入力ミスが発生していた。また、有効期限が短い薬液の歩留まりが悪かった。
【００１６】
本実施の形態では、製品の製造完了時に薬液を構成に持つ製品の有効期限は、薬液の有効期限が短い場合は、自動的に薬液の有効期限を製品の有効期限に設定する。また、有効期限が短い薬液を優先的に製品に使用することで、有効期限が短い薬液の歩留まりの低下を防ぐ効果がある。
【００１７】
例えば、製品の有効期限が製造完了日から２４ヶ月の場合、製造完了日「２０１７／０８／３１」に製造を行った場合、製品の有効期限は「２０１９／０８／３１」となるが、構成要素に薬液がある場合、薬液の有効期限が「２０１９／０２／２８」である場合は、自動的に製品の有効期限を「２０１９／０２／２８」に設定する。このように、自動で製品の有効期限を算出して設定することで作業効率ＵＰと入力ミスを防ぐ。
【００１８】
以下、具体的な構成および動作について説明する。以下の説明では、有効期限のない第１の部材を単に「部材」と称し、有効期限のある第２の部材として、「薬液」の場合を例示して説明する。なお、本発明では、有効期限のある第２の部材は、「薬液」に限られるものではなく、有効期限のある他の部材にも適用可能である。また、「製品」は、例えば、医薬品であるが、本発明はこれに限られるものではない。
【００１９】
［２．構成］
本実施形態に係る有効期限算出装置１００の構成について、図１を参照して説明する。図１は、有効期限算出装置１００の構成の一例を示すブロック図である。
【００２０】
有効期限算出装置１００は、市販のデスクトップ型パーソナルコンピュータである。なお、有効期限算出装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００２１】
有効期限算出装置１００は、図１に示すように、制御部１０２と通信インターフェース部１０４と記憶部１０６と入出力インターフェース部１０８と、を備えている。有効期限算出装置１００が備えている各部は、任意の通信路を介して通信可能に接続されている。
【００２２】
通信インターフェース部１０４は、ルータ等の通信装置および専用線等の有線または無線の通信回線を介して、有効期限算出装置１００をネットワーク３００に通信可能に接続する。通信インターフェース部１０４は、他の装置と通信回線を介してデータを通信する機能を有する。ここで、ネットワーク３００は、有効期限算出装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。  
【００２３】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。また、「出力」とは、出力装置１１４のモニタに表示することや出力装置１１４のプリンタで印刷することを含む。また、モニタ１１４に表示される情報に対して入力装置１１２等でユーザが操作等をすることを、「ＵＩを介したユーザ操作」と記載する場合がある。
【００２４】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。  
【００２５】
記憶部１０６は、品目マスタ１０６ａと、製品構成マスタ１０６ｂと、在庫データファイル１０６ｃを格納する。
【００２６】
品目マスタ１０６ａは、各品目（製品，半製品，部材、及び／又は薬液）の有効期限月数を規定するためのマスタである。品目マスタ１０６ａは、品目（製品，半製品，部材、及び／又は薬液）を識別するための品目コード、品目（製品，半製品，部材、及び／又は薬液）の名称、品目（製品，半製品，部材、及び／又は薬液）の有効期限月数（但し、有効期限月数「０」は、有効期限無しを示す）及び薬液であるか否かを示す薬液区分（例えば、「０」は薬液以外、「１」は薬液）のデータを関連づけて登録したテーブル等で構成することができる（図４参照）。
【００２７】
製品構成マスタ１０６ｂは、製品及び／又は半製品の構成要素（半製品、部材、及び／又は薬液）を登録するためのマスタである。製品構成マスタ１０６ｂは、製品及び／又は半製品を識別するための品目コード、製品及び／又は半製品を製造する際に使用する（構成要素となる）、半製品，部材、及び／又は薬液を識別するための品目コード、及びその使用数のデータを関連づけて登録したテーブル等で構成することができる（図５参照）。
【００２８】
在庫データファイル１０６ｃは、製品，半製品，部材、及び／又は薬液の在庫データを格納するためのものである。在庫データは、品目（製品，半製品，部材、及び／又は薬液）を識別するための品番コード、品目（製品，半製品，部材、及び／又は薬液）の名称、製造したロット、有効期限、及び在庫数のデータを含んでいてもよい（図６参照）。
【００２９】
制御部１０２は、有効期限算出装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、在庫データ作成部１０２ａと、有効期限算出部１０２ｂと、マスタメンテ部１０２ｃと、を備えている。
【００３０】
在庫データ作成部１０２ａは、部材及び／又は薬液が入荷した際や製品及び／又は半製品が完成した際に、受入入力を行い、モニタ１１４に表示される入力画面上でのオペレータの操作に応じて、在庫データを作成して、在庫データファイル１０６ｃに格納する。また、在庫データ作成部１０２ａは、オペレータの操作に応じて、モニタ１１４に在庫データファイル１０６ｂに格納されている対象の在庫データを表示する。このように、オペレータは、対象の品目の在庫データの有効期限等を確認することが可能となっている。 
【００３１】
有効期限算出部１０２ｂは、製品の製造が完了した際に、品目マスタ１０６ａ及び製品構成マスタ１０６ｂを参照して、当該製品が薬液を構成要素に含む場合は、当該製品の有効期限と当該製品の構成要素に含まれる薬液の有効期限を比較して、当該製品の有効期限として、短い方の有効期限を自動設定する。
【００３２】
この場合、有効期限算出部１０２ｂは、当該製品が薬液を構成要素に含む場合は、当該薬液の在庫データの有効期限と、当該製品の製造完了日＋品目マスタ１０６ａの当該製品の有効期間月数とを比較して、短い方の有効期限を当該製品の在庫データの有効期限に自動設定してもよい。
【００３３】
有効期限算出部１０２ｂは、製品の有効期限を自動設定する場合に、構成要素に薬液を含む半製品がある場合には、当該半製品の有効期限とも比較を行ってもよい。
【００３４】
マスタメンテ部１０２ｃは、オペレータの操作に応じてモニタ１１４にマスタメンテ画面を表示し、当該マスタメンテ画面上でのオペレータの操作に応じて、品目マスタ１０６ａ及び製品構成マスタ１０６ｂに対してデータの入力・追加・変更・更新等の編集を行う。
【００３５】
［３．処理の具体例］
図１〜図８を参照して、本実施の形態に係る有効期限算出装置１００の処理の具体例を説明する。図２は、本実施の形態に係る有効期限算出装置１００の全体の処理手順の一例を説明するための図である。図３は、有効期限算出処理の一例を説明するための図である。図２及び図３を参照して、本実施の形態に係る有効期限算出装置１００の全体の処理手順の一例を説明する。
【００３６】
図２において、先ず、マスタメンテ部１０２ｃは、マスタメンテ画面上でのオペレータの操作に応じて、品目マスタ１０６ａ及び製品構成マスタ１０６ｂにデータを登録する（ステップＳ１）。
【００３７】
在庫データ作成部１０２ａは、部材や薬液を仕入れた際に受入入力を行い、入力画面上でのオペレータの入力操作に応じて、仕入れた部材や薬液の在庫データを作成して、在庫データファイル１０６ｃに格納する（ステップＳ２）。オペレータは、薬液の有効期限が記載されている仕入伝票等を見て入力操作を行うことにしてもよい。
【００３８】
在庫データ作成部１０２ａは、製品や半製品が完成した際に受入入力を行い、入力画面上でのオペレータの入力操作に応じて、製品や半製品の在庫データを作成して、在庫データファイル１０６ｃに格納する（ステップＳ３）。また、有効期限算出部１０２ｂは、製品や半製品が完成した場合には、図３に示す有効期限算出処理を実行する。
【００３９】
図３において、まず、有効期限算出部１０２ｂは、製品構成マスタ１０６ｂを参照して、対象の製品や半製品の構成要素に薬液が有るか否かを判断する（ステップＳ１１）。製品の場合は、半製品を構成要素に含み、さらに、当該半製品が薬液を構成要素に含む場合についても判断する。構成要素に薬液が無い場合には（ステップＳ１１の「Ｎｏ」）、製品や半製品の有効期限として、製品や半製品の有効期限をそのまま採用する（ステップＳ１２）。
【００４０】
構成要素に薬液がある場合には（ステップＳ１１の「Ｙｅｓ」）、製品や半製品の有効期限と薬液の在庫データの有効期限を比較する（ステップＳ１３）。具体的には、製品の有効期限は、製品の製造完了日＋品目マスタ１０６ａの対応する製品の有効期限月数により算出する。同様に、半製品の有効期限は、半製品の製造完了日＋品目マスタ１０６ａの対応する半製品の有効期限月数により算出する。そして、短い方の有効期限を製品や半製品の有効期限に採用する（ステップＳ１４）。
【００４１】
図４〜図７を参照して、本実施の形態に係る有効期限算出装置１００の処理の具体的なデータ例を説明する。図４は、品目マスタ１０６ａのデータ例を示す図である。図５は、製品構成マスタ１０６ｂのデータ例及びその階層の構成イメージを示す図である。図６は、在庫データのデータ例を示す図である。図７は、製品の構成が「１階層」の場合の製品の有効期限の算出を説明するための図である。図８は、製品の構成が「２階層」の場合の製品の有効期限の算出を説明するための図である。
【００４２】
図４に示す品目マスタ１０６ａの例では、品目コード「０００１」については、名称「製品Ａ」、有効期限月数「３６」、薬液区分「０」が、製品コード「０００２」については、名称「製品Ｂ」、有効期限月数「３６」、薬液区分「０」が、品目コード「０００３」については、名称「製品Ｃ」、有効期限月数「３６」、薬液区分「０」が登録されている。
【００４３】
また、図４に示す品目マスタ１０６ａの例では、製品コード「１０００００１」については、名称「部材Ａ」、有効期限月数「０」、薬液区分「０」が、製品コード「１０００００２」については、名称「部材Ｂ」、有効期限月数「０」、薬液区分「０」が、製品コード「１０００００３」については、名称「部材Ｃ」、有効期限月数「０」、薬液区分「０」が、製品コード「２０００００１」については、名称「半製品１」、有効期限月数「３６」、薬液区分「１」が登録されている。
【００４４】
図５において、図５（Ａ）に示す製品構成マスタ１０６ｂの例では、品番コード「００００２」の製品Ｂ（品目マスタ１０６ａの品番コード「００００２」に対応する名称「製品Ｂ」）の構成は、品番コード「１０００００１」の使用数「２」、品番コード「１０００００２」の使用数「１」、品番コード「１０００００３」の使用数「１」、品番コード「３０００００１」の使用数「１」で構成されている。製品Ｂの構成は、図５（Ｂ）に示すように、「１階層」の構成となっており、１階層目の部材Ａ、部材Ｂ、部材Ｃ，薬液１で構成されている。
【００４５】
また、図５（Ａ）に示す製品構成マスタ１０６ｂの例では、品番コード「０００１」の製品Ａ（品目マスタ１０６ａの品番コード「００００１」に対応する名称は「製品Ａ」）は、品番コード「１０００００１」の使用数「２」、品番コード「１０００００２」の使用数「１」、品番コード「２０００００１」の使用数「１」、品番コード「３０００００１」の使用数「１」、品番コード「３０００００３」の使用数「１」で構成されている。また、品番コード「２０００００１」の半製品１（品目マスタ１０６ａの品番コード「２０００００１」に対応する名称は「半製品１」）は、品番コード「１０００００３」の使用数「１」、品番コード「３０００００２」の使用数「１」で構成されている。
【００４６】
製品Ａの構成は、図５（Ｃ）に示すように、「２階層」の構成となっており、製品Ａの１階層目は部材Ａ、部材Ｂ、半製品１，薬液１，薬剤３で構成されており、２階層目は、半製品１の構成要素である部材Ｃ、薬液２で構成されている。
【００４７】
（１）上述したように、在庫データ作成部１０２ａは、部材や薬液を仕入れた場合には、受入入力を行って、在庫データを作成し、在庫データファイル１０６ｃに格納する。図６は、受入入力を行った在庫データの一例を示している。図６に示す在庫データの例では、品番コード「１０００００１」、名称「部材Ａ」、在庫数「１，０００」と、品番コード「１０００００２」、名称「部材Ｂ」、在庫数「２，０００」と、品番コード「１０００００３」、名称「部材Ｃ」、在庫数「３，０００」と、品番コード「３０００００１」、名称「薬液１」、有効期限「２０１７／０２／２８」、在庫数「１，０００」と、品番コード「３０００００２」、名称「薬液２」、有効期限「２０１６／１２／３１」、在庫数「２，０００」と、品番コード「３０００００３」、名称「薬液３」、有効期限「２０１７／０１／２８」、在庫数「３，０００」となっている。
【００４８】
次に、完成した製品の構成が階層「１」の場合と、階層「２」の場合を分けて説明する。
【００４９】
（２）完成した製品の構成が階層「１」の場合
製品Ｂが完成した場合には、受入入力を行って在庫データを作成する。製品Ｂは、図７（Ａ）に示すように、１階層の構成となっており、製品Ｂは、薬液１を使用しているので、製品Ａの有効期限と薬液１の有効期限を比較する。
【００５０】
図７（Ｂ）において、製品Ｂの製造完了日が「２０１４／０３／３１」の場合は、品目マスタ１０６ａを参照して、製品Ｂの有効期限月数が「３６ヶ月」であるので、製品Ｂの有効期限は通常の場合は、「２０１７／０３／３１」である。
【００５１】
薬液１の在庫データを参照すると、薬液１の有効期限は、２０１７／０２／２８であるので、薬液１の有効期限の方が短いため、製品Ｂの有効期限は「２０１７／０２／２８」となる。なお、製品Ｂの有効期限が先の場合は、製品Ｂの有効期限は、製品Ｂの有効期限である「２０１７／０３／３１」となる。また、薬液を構成に持たない場合は、「２０１７／０３／３１」が製品Ｂの有効期限となる。
【００５２】
図７（Ｃ）は、製品Ｂの在庫データの一例を示しており、製品Ｂの在庫データの有効期限には、「２０１７／０２／２８」が採用される。
【００５３】
（３）完成した製品の構成が階層「２」の場合
まず、半製品１が完成した場合には、受入入力を行って、半製品１の在庫データを作成する。半製品１は、図７（Ａ）に示すように、薬液２を使用しているので、半製品１と在庫データの薬液２の有効期限を比較する。具体的には、半製品１の製造完了日を「２０１４／０３／３１」とした場合は、品目マスタ１０６ａを参照して、半製品１の有効期限月数が「３６ヶ月」であるので、半製品１の有効期限は通常の場合は、２０１７／０３／３１である。
【００５４】
薬液２の在庫データを参照すると、薬液２の有効期限は、「２０１６／１２／３１」であるので、薬液２の有効期限の方が短いため、半製品１の有効期限は「２０１６／１２／３１」となる。図８（Ｂ）は半製品１の在庫データの一例を示しており、半製品１の在庫データの有効期限には、「２０１６／１２／３１」が採用される。
【００５５】
製品Ａが完成した場合には、受入入力を行って、製品Ａの在庫データを作成する。製品Ａは、図８（Ｃ）に示すように、２階層の構成となっており、半製品１（薬液２）、薬液１、薬液３を含むので、製品Ａの有効期限と、半製品１、薬液１、薬液２の在庫データの有効期限を比較する。具体的には、図８（Ｄ）に示すように、製品Ａの製造完了日を「２０１４／０３／３１」とした場合は、品目マスタ１０６ａを参照して、製品Ａの有効期限月数が「３６ヶ月」であるので、製品Ａの有効期限は通常の場合は、「２０１７／０３／３１」である。
【００５６】
在庫データを参照すると、半製品１の有効期限「２０１６／１２／３１」、薬液１の有効期限「２０１７／０２／２８」、薬液２の有効期限「２０１７／０１／３１」であるので、製品Ａの有効期限は、最も有効期限の短い半製品１の有効期限「２０１６／１２／３１」となる。
【００５７】
図８（Ｅ）は、製品Ａの在庫データの一例を示しており、製品Ａの在庫データの有効期限として、２０１６／１２／３１」が採用される。
【００５８】
以上説明したように、本実施の形態によれば、少なくとも製品とその有効期限月数とを関連づけて登録する品目マスタ１０６ａと、製品と、当該製品を構成する、半製品、部材、及び／又は薬液とを関連づけて登録する製品構成マスタ１０６ｂと、製品の製造が完了した際に、品目マスタ１０６ａ及び製品構成マスタ１０６ｂを参照して、当該製品が薬液を構成要素に含む場合は、当該製品の有効期限と当該製品の構成要素に含まれる薬液の有効期限を比較して、当該製品の有効期限として、短い方の有効期限を自動設定する有効期限算出部１０２ｂと、を備えているので、製品の製造が完了した際、当該製品が薬液を構成要素に持つ場合に、当該製品の有効期限を自動で設定することができ、作業効率のＵＰと入力ミスを防止することが可能となる。また、有効期限が短い薬液を優先的に製品に使用することで、有効期限が短い薬液の歩留まりの低下を防ぐことが可能となる。
【００５９】
また、本実施の形態によれば、部材、及び／又は薬液が入荷した際に、在庫数及び有効期限を含む在庫データを作成し、また、製品の製造が完了した際に、在庫データを作成する在庫データ作成部１０２ａを備え、有効期限算出部１０２ｂは、当該製品が薬液を構成要素に含む場合は、当該薬液の在庫データの有効期限と、当該製品の製造完了日＋品目マスタ１０６ａの当該製品の有効期間月数とを比較して、短い方の有効期限を当該製品の在庫データの有効期限に設定することとしたので、製品の在庫データの有効期限を自動設定することが可能となる。
【００６０】
また、本実施の形態によれば、品目マスタ１０６ａは、さらに、半製品とその有効期限月数とを関連づけて登録し、製品構成マスタ１０６ｂは、さらに、半製品と、当該半製品を構成する前記第１の部材及び／又は前記第２の部材とを関連づけて登録し、有効期限算出部１０２ｂは、製品の有効期限を自動設定する場合に、構成要素に第２の部材を含む半製品がある場合には、当該半製品の有効期限とも比較を行うこととしたので、製品の構成イメージが２階層の場合でも、製品の有効期限を自動設定することが可能となる。
【００６１】
［４．他の実施形態］
本発明は、上述した実施形態以外にも、特許請求の範囲に記載した技術的思想の範囲内において種々の異なる実施形態にて実施されてよいものである。  
【００６２】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００６３】
また、本明細書中や図面中で示した処理手順、制御手順、具体的名称、各処理の登録データや検索条件等のパラメータを含む情報、画面例、データベース構成については、特記する場合を除いて任意に変更することができる。
【００６４】
また、有効期限算出装置１００に関して、図示の各構成要素は機能概念的なものであり、必ずしも物理的に図示の如く構成されていることを要しない。  
【００６５】
例えば、有効期限算出装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて有効期限算出装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００６６】
また、このコンピュータプログラムは、有効期限算出装置１００に対して任意のネットワークを介して接続されたアプリケーションプログラムサーバに記憶されていてもよく、必要に応じてその全部または一部をダウンロードすることも可能である。  
【００６７】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００６８】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００６９】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００７０】
また、有効期限算出装置１００は、既知のパーソナルコンピュータまたはワークステーション等の情報処理装置として構成してもよく、また、任意の周辺装置が接続された当該情報処理装置として構成してもよい。また、有効期限算出装置１００は、当該装置に本実施形態で説明した処理を実現させるソフトウェア（プログラムまたはデータ等を含む）を実装することにより実現してもよい。  
【００７１】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。  
【符号の説明】
【００７２】
１００  有効期限算出装置
１０２  制御部
１０２ａ  在庫データ作成部
１０２ｂ  有効期限算出部
１０２ｃ  マスタメンテ部
１０４  通信インターフェース部
１０６  記憶部
１０６ａ  品目マスタ
１０６ｂ  製品構成マスタ
１０６ｃ  在庫データファイル
１０８  入出力インターフェース部
１１２  入力装置
１１４  出力装置
２００  サーバ
３００  ネットワーク
【図１】
2019153242.tif 000003
【図２】
2019153242.tif 000004
【図３】
2019153242.tif 000005
【図４】
2019153242.tif 000006
【図５】
2019153242.tif 000007
【図６】
2019153242.tif 000008
【図７】
2019153242.tif 000009
【図８】
2019153242.tif 000010